(57)【特許請求の範囲】
【請求項１】
掃除機本体に接続される集塵ホースの手元操作部と吸込口体との間に設けられる伸縮自在な伸縮管と、この伸縮管の外表面に長手方向に沿って設けられたカバー体と、このカバー体の内側に配設された伸縮可能な一対の給電線とを備えた電気掃除機であって、
前記伸縮管は、第一パイプと、この第一パイプ内に引き出し可能に収納された第二パイプと、この第二パイプ内に引き出し可能に収納された第三パイプとを少なくとも備え、
前記カバー体は、前記第一パイプの一端部から他端部近傍まで延びる第一カバーケースと、この第一カバーケース内に引き出し可能に収納され且つ前記第二パイプの一端部から他端部近傍まで延びる第二カバーケースと、この第二カバーケース内に引き出し可能に収納され且つ前記第三パイプの一端部から他端部近傍まで延びる第三カバーケースとを備え、
前記第三カバーケースは、互いに所定の間隙をあけて長手方向に延びると共に両端部が開口した一対のガイド管と、これらのガイド管を連結する連結壁とを有し、
前記第二カバーケースは、長手方向に延びると共に内側面から立設した隔壁を有し、この隔壁に沿って前記ガイド管が摺動すると共に、前記一対の給電線を前記ガイド管及び／又は前記隔壁で離間させたことを特徴とする電気掃除機。
【請求項２】
前記連結壁は、前記第三カバーケースの短手方向に架け渡され、前記隔壁の先端面と第二カバーケースのこの先端面に対向する内側面との間には、前記連結壁を挿入可能な間隙が設けられていることを特徴とする請求項１に記載の電気掃除機。
【請求項３】
前記隔壁は、前記第三カバーケースが前記第二カバーケース内に収納されると、前記一対のガイド管の間に嵌挿されることを特徴とする請求項１又は２に記載の電気掃除機。
【発明の詳細な説明】
【技術分野】
【０００１】
本発明は、伸縮可能な伸縮管と、この伸縮管に沿って配設された給電線とを備えた電気掃除機に関するものである。
【背景技術】
【０００２】
従来から、外管とこの外管内に摺動可能に設けられた内管とを有して伸縮可能であると共に、この外管及び内管に沿って設けられたカバー内に配置された伸縮可能な一対のリード線を備えた電気掃除機用延長管が知られている（例えば、特許文献１参照）。
【０００３】
この電気掃除機用延長管では、リード線の一端が外管の基端側に固定され、他端が内管の先端側に固定されると共に、外管の基端側に一端が保持されたガイドパイプ内に配置されている。
【０００４】
そして、内管が外管内に収納されているときには、外管側カバー内に内管側カバーが収納され、その内部にガイドパイプに収納されたリード線が位置するようになっている。
【０００５】
さらに、内管が外管から突出すると、リード線の他端側が内管によって引っ張られて伸張し、この他端側がガイドパイプから露出した状態で内管側カバーにカバーされるようになっている。
【特許文献１】特開２００４−８２３９号公報
【発明の開示】
【発明が解決しようとする課題】
【０００６】
ところで、上述の電気掃除機用延長管では、外管と内管との二層構造になっているため、外管内に内管を収納した収縮時であっても全長が長くなってしまい、電気掃除機が収納しにくいという問題が生じていた。
【０００７】
また、内管が外管から突出した際に一対のリード線がガイドパイプから露出するので、露出した部分が互いに接触するおそれも生じていた。
そこで、この発明は、伸縮管の収縮時に全長を短くすることができると共に、伸縮管の伸長時に一対の給電線同士の接触を確実に防止することができる電気掃除機を提供することを目的としている。
【課題を解決するための手段】
【０００８】
上記課題を解決するために、この発明は、掃除機本体に接続される集塵ホースの手元操作部と吸込口体との間に設けられる伸縮自在な伸縮管と、この伸縮管の外表面に長手方向に沿って設けられたカバー体と、このカバー体の内側に配設された伸縮可能な一対の給電線とを備えた電気掃除機であって、前記伸縮管は、第一パイプと、この第一パイプ内に引き出し可能に収納された第二パイプと、この第二パイプ内に引き出し可能に収納された第三パイプとを少なくとも備え、前記カバー体は、前記第一パイプの一端部から他端部近傍まで延びる第一カバーケースと、この第一カバーケース内に引き出し可能に収納され且つ前記第二パイプの一端部から他端部近傍まで延びる第二カバーケースと、この第二カバーケース内に引き出し可能に収納され且つ前記第三パイプの一端部から他端部近傍まで延びる第三カバーケースとを備え、前記第三カバーケースは、互いに所定の間隙をあけて長手方向に延びると共に両端部が開口した一対のガイド管と、これらのガイド管を連結する連結壁とを有し、前記第二カバーケースは、長手方向に延びると共に内側面から立設した隔壁を有し、この隔壁に沿って前記ガイド管が摺動すると共に、前記一対の給電線を前記ガイド管及び／又は前記隔壁で離間させたことを特徴としている。
【発明の効果】
【０００９】
本発明の電気掃除機によれば、第一〜第三パイプのそれぞれの長さを短くすることにより、伸縮管の収縮時の全長を短くすることができ、邪魔にならず容易に収納することが可能となる。
【００１０】
また、伸縮管の伸長時には、隔壁によって第二カバーケースの内部が区画され、この第二カバーケース内に位置する一対の給電線同士が接触することを確実に防止することができる。
【００１１】
さらに、第三カバーケースを収納する際に、隔壁に沿ってガイド管が摺動するので、このガイド管の摺動動作をスムーズに行うことができ、ガタツキを防止することができる。
【発明を実施するための最良の形態】
【００１２】
以下、この発明に係る電気掃除機を実施するための最良の形態を図面に基づいて説明する。
【００１３】
図１に示す電気掃除機１０は、掃除機本体１１と、この掃除機本体１１内に設けた集塵室１２と、この集塵室１２を負圧にする電動送風機１３と、掃除機本体１１の前部に設けたホース接続口１１ａに一端が着脱可能に接続された集塵ホース１５と、この集塵ホース１５の他端に設けた手元操作管１７に着脱自在に接続された延長管（伸縮管）２０と、この延長管２０の先端部に着脱自在に接続された吸込口体１００とを備えている。
【００１４】
集塵室１２には、塵埃を慣性分離する塵埃分離部とこの塵埃分離部で分離された塵埃を集塵する集塵部とを備えた集塵容器（図示せず）が着脱自在に装着されている。
【００１５】
また、手元操作管１７には操作部１７Ａが設けられており、操作部１７Ａには電動送風機の強弱を設定する強弱スイッチＳａ，ＳｂとオフスイッチＳｃと吸込口体１００に設けられたパワーブラシ用のモータＭを駆動させるパワーブラシスイッチＳｄ等とが設けられている。
【００１６】
さらに、延長管２０の外表面には、長手方向に沿ってカバー体Ｔが設けられており、このカバー体Ｔの内側には、後述する一対の給電手段６０（図４参照）が配設されている。
【００１７】
延長管２０は、図２及び図３に示すように、手元操作管１７に着脱自在に接続される第一パイプ２１と、この第一パイプ２１内に引き出し可能に収納された第二パイプ３０と、この第二パイプ３０内に引き出し可能に収納された第三パイプ４０とを備えている。
【００１８】
そして、この第三パイプ４０の先端部には、吸込口体１００の接続管１０１が接続アダプタ１０２を介して着脱自在に接続されている（図１参照）。
【００１９】
第一パイプ２１は、先端部２１Ａの下側にクランプケース２２が取り付けられており、このクランプケース２２にはクランプ部材２３が設けられている。このクランプ部材２３の操作により、第一パイプ２１から引き出された第二パイプ３０を任意の伸長位置に固定することができるようになっている。
【００２０】
また、第一パイプ２１の先端部２１Ａには、第一パイプ２１と第二パイプ３０との間をシールするシールパイプ２４（図２参照）が装着されている。
【００２１】
このシールパイプ２４は、フランジ部２４Ａによって第一パイプ２１の先端部２１Ａを覆うようになっている。
【００２２】
さらに、このシールパイプ２４の上部には、第一パイプ２１の上方に突出するカバー支持部２５（図３参照）が形成されている。このカバー支持部２５は、第一パイプ２１の軸方向に沿って延びており、先端に長穴２５Ａが形成されている。
【００２３】
また、第一パイプ２１の後端部２１Ｂは、小径の図示しない接続部となっており、この接続部が手元操作管１７内に接続されることになる。
【００２４】
そして、第一パイプ２１の上面部には、後述する第一カバーケース２６が取り付けられる。
【００２５】
第二パイプ３０は、後部３０Ｂが図３において矢印で示すように、第一パイプ２１の先端部２１Ａに装着されたシールパイプ２４を介して第一パイプ２１内に引き出し可能に収納されるようになっている。
【００２６】
また、この第二パイプ３０は、下面に軸線方向に沿って等間隔に形成された複数の凹部（図示せず）を有しており、これらの凹部のうち任意のものにクランプ部材２３が係合することで第二パイプ３０を任意の伸長長さに固定するようになっている。
【００２７】
さらに、この第二パイプ３０の先端部（図３において左端部）には、大径の接合管部３２が形成されている。
【００２８】
そして、この接合管部３２の上面部には、後述する第二カバーケース３３の先端部３３Ａが取り付けられる。
【００２９】
さらに、第二パイプ３０の接合管部３２及び第二カバーケース３３の先端部３３Ａは、図１及び図２に示すように環状の飾りリングＫ内に嵌入されている。この飾りリングＫによって、接合管部３２及び第二カバーケース３３が挟持されることとなる。
【００３０】
また、第二パイプ３０の接合管部３２には、第二パイプ３０と第三パイプ４０との間をシールする保持パイプ５０が嵌入されている。
【００３１】
この保持パイプ５０は、フランジ部５１によって第二カバーケース３３の先端部３３Ａと第二パイプ３０の先端を覆うようになっている。
【００３２】
さらに、この保持パイプ５０のフランジ部５１は、第二パイプ３０の上方に突出するように形成されており、この突出した部分に長穴５１Ａが形成されている。
【００３３】
なお、保持パイプ５０内には、図示しないロック部材が配置され、このロック部材が第三パイプ４０と係合することで、第三パイプ４０が固定されるようになっている。
【００３４】
第三パイプ４０は、後部４０Ｂが図３において矢印で示すように、第二パイプ３０の先端部に装着された保持パイプ５０を介して第二パイプ３０内に引き出し可能に収納されるようになっている。
【００３５】
また、この第三パイプ４０は、先端部（図３において左端部）の上面に形成された係合突部４１と、後部４０Ｂの下面に形成された係合凹部（図示せず）とを有している。そして、この係合突部４１が保持パイプ５０内のロック部材と係合することで第三パイプ４０を収納した際に収納位置に固定し、係合凹部が保持パイプ５０内のロック部材と係合することで第三パイプ４０を引き出した際に伸長位置に固定するようになっている。
【００３６】
さらに、この第三パイプ４０の先端部には、大径の接続管部４２が形成され、この接続管部４２に接続アダプタ１０２が接続されるようになっている。なお、係合突部４１は、接続管部４２の後方に位置している。
【００３７】
そして、接続管部４２と係合突部４１との間には、スタンドストッパ４５が取り付けられている。
【００３８】
このスタンドストッパ４５は、第三パイプ４０の下方に位置するストッパ片４５Ａと、第三パイプ４０の上方に位置するカバー保持部４５Ｂとを有している。
【００３９】
そして、このカバー保持部４５Ｂには、後述する第三カバーケース４７の先端部４７Ａが保持されている。
【００４０】
カバー体Ｔは、第一パイプ２１の延長方向に沿って先端部２１Ａから後端部２１Ｂ近傍まで延びる第一カバーケース２６と、この第一カバーケース２６内に引き出し可能に収納され且つ第二パイプ３０の延長方向に沿ってこの第二パイプ３０の先端部から後端部近傍まで延びる第二カバーケース３３と、この第二カバーケース３３内に引き出し可能に収納され且つ第三パイプ４０の延長方向に沿ってこの第三パイプ３０の先端部から後端部近傍まで延びる第三カバーケース４７とを備えている。
【００４１】
第一カバーケース２６は、図４（ａ）に示すように、第一パイプ２１側が開放した円弧状の長尺体であり、長手方向に沿う下端部に複数のツメ２６Ａが形成されている。これらのツメ２６Ａが第一パイプ２１の上面に形成された図示しない被係合部に係合することで、第一パイプ２１の上面を覆うように第一カバーケース２６が固定される。
【００４２】
これにより、第一カバーケース２６と第一パイプ２１の上面との間には、第二カバーケース３３が挿脱可能な第一移動空間２７が形成される。この第一移動空間２７の前端面は、カバー支持部２５の長穴２５Ａに対向している。
【００４３】
なお、図４（ａ）における一対の２６Ｂは、カバー支持部２５をビス止めするためのビス部である。
【００４４】
第二カバーケース３３は、先端部３３Ａが第二パイプ３０の接合管部３２上面に取り付けられると共に、後部３３Ｂ側がカバー支持部２５の長穴２５Ａを介して第一移動空間２７内に挿入されている。
【００４５】
そして、第二パイプ３０が第一パイプ２１から引き出されると、その引き出しに応じて第二カバーケース３３が第一移動空間２７から引き出されるようになっている。
【００４６】
ここで、第二カバーケース３３の先端部３３Ａには、図示しない係止凹部が形成されており、この係止凹部に接合管部３２の上面に形成された係止突部（図示せず）が係止することで固定されるようになっている。
【００４７】
なお、第二カバーケース３３は、大径の接合管部３２に取り付けられているために、この接合管部３２よりも後方に位置する部分と第二カバーケース３３との間には、図３に示すように、所定の間隙Ｘが設けられることとなる。この間隙Ｘにより、第二パイプ３０が第一パイプ２１内に収納された際に、第二カバーケース３３が第一パイプ２１の上面に沿って摺接するようになっている。
【００４８】
また、第二カバーケース３３は、図４（ｂ）に示すように、下カバー部３４Ａと、この下カバー部３４上に固着された上カバー部３４Ｂとを有している。そして、下カバー部３４Ａと上カバー部３４Ｂとの間には、長手方向に延びると共に第三カバーケース４７が挿脱可能な第二移動空間３５が形成されている。この第二移動空間３５の前端面は、保持パイプ５０の長穴５１Ａに対向している。
【００４９】
さらに、下カバー部３４Ａには、長手方向に延びると共に内側面から上カバー部３４Ｂに向かって立設された隔壁３６が形成され、第二移動空間３５内が区画されている。
【００５０】
この隔壁３６は、先端面３６Ａと上カバー部３４Ｂの内側面との間に、第三カバーケース４７の後述する連結壁４８Ｂｃが挿入可能な間隙Ｓ１が設けられている。なお、この間隙Ｓ１の大きさは、後述するコイル状の給電線６２の外径よりも小さいものとなっている。
【００５１】
さらに、この隔壁３６は、後述する一対のガイド孔４９間の間隙Ｓ２よりも僅かに小さい厚みを有しており、この間隙Ｓ２内に嵌挿可能となっている。
【００５２】
また、ここでは、上カバー部３４Ｂの先端部に、飾りリングＫの内側に当接する当接フランジ３４Ｃが形成されている。
【００５３】
第三カバーケース４７は、先端部４７Ａがスタンドストッパ４５のカバー保持部４５Ｂに保持されると共に、後部４７Ｂ側が保持パイプ５０の長穴５１Ｂを介して第二移動空間３５内に挿入されている。
【００５４】
そして、第三パイプ４０が第二パイプ３０から引き出されると、その引き出しに応じて第三カバーケース４７が第二移動空間３５から引き出されるようになっている。
【００５５】
なお、第三カバーケース４７は、図３に示すように、第三パイプ４０の上面との間に所定の間隙Ｙをあけた状態でカバー保持部４５Ｂに保持されている。この間隙Ｙにより、第三パイプ４０が第二パイプ３０内に収納された際に、第三カバーケース４７が第二カバーケース３３の下カバー部３４Ａに沿って摺接するようになっている。
【００５６】
また、第三カバーケース４７は、図４（ｃ）に示すように、下カバー部４８Ａと、この下カバー部４８Ａ上に固着された上カバー部４８Ｂとを有している。
【００５７】
下カバー部４８Ａは、互いに所定の間隙Ｓ２をあけて長手方向に延びる第一下ガイド部４８Ａａと、第二下ガイド部４８Ａｂとを有している。この第一、第二下ガイド部４８Ａａ、４８Ａｂは、先端部に設けられた連結片（図示せず）で一体に連結されている。なお、この連結片は、上カバー部４８Ｂの断面形状と同形状を呈しており、間隙Ｓ２に干渉することはない。
【００５８】
上カバー部４８Ｂは、互いに所定の間隙Ｓ２をあけて長手方向に延びる第一上ガイド部４８Ｂａと、第二上ガイド部４８Ｂｂと、この第一、第二上ガイド部４８Ｂａ、４８Ｂｂを連結する連結壁４８Ｂｃとを有している。
【００５９】
ここで、第一上ガイド部４８Ｂａは第一下ガイド部４８Ａａ上に位置し、第二上ガイド部４８Ｂｂは第二下ガイド部４８Ａｂ上に位置している。
【００６０】
そしてこれにより、第一上下ガイド部４８Ａａ、４８Ｂａと第二上下ガイド部４８Ａｂ、４８Ｂｂとにより、間隙Ｓ２をあけて長手方向に延びると共に両端部が開口した一対のガイド管Ｇ１、Ｇ２が形成される。
【００６１】
なお、このガイド管Ｇ１、Ｇ２は、第一上下ガイド部４８Ａａ、４８Ｂａと第二上下ガイド部４８Ａｂ、４８Ｂｂとの間に、一対の給電手段６０が各々配設される一対のガイド孔４９を有している。
【００６２】
また、連結壁４８Ｂｃは、第一、第二上ガイド部４８Ｂａ、４８Ｂｂの短手方向に架け渡されると共に、この第一、第二上ガイド部４８Ｂａ、４８Ｂｂの上部同士を連結している。
【００６３】
つまり、連結壁４８Ｂｃは、第三カバーケース４７の短手方向に架け渡され、この連結壁４８Ｂｃの下方に間隙Ｓ２が位置することとなる。さらに、この連結壁４８Ｂｃは、間隙Ｓ１よりも僅かに小さい厚みを有しており、この間隙Ｓ１内に嵌挿可能となっている。
【００６４】
一対の給電手段６０は、絶縁素材によって形成された絶縁チューブ６１と、この絶縁チューブ６１内に配設された給電線６２とをそれぞれ有している。
【００６５】
絶縁チューブ６１は、細径の管状体であり、一端６１Ａ（図６（ａ）、（ｂ）参照）が第一カバーケース２６の後部に設けられた図示しない係止部に係止固定されて第一カバーケース２６の第一移動空間２７内に配設されている。
【００６６】
また、この絶縁チューブ６１は、第二カバーケース３３が第一移動空間２７に収納された際には、第二カバーケース３３の第二移動空間３５内に挿入され、第三カバーケース４７が第二移動空間３５内に収納された際には、第三カバーケース４７のガイド孔４９内に挿入されるようになっている。
【００６７】
給電線６２は、被覆のないコイル形状をしていて伸縮可能になっており、一端６２Ａ（図６（ａ）、（ｂ）参照）が第一カバーケース２６に設けられた図示しない係止部に係止固定され、他端６２Ｂ（図６（ａ）、（ｂ）参照）が第三カバーケース４７の先端部４７Ａに設けられた係止部４７Ｃ（図２参照）に係止固定されている。
【００６８】
また、給電線６２の一端６２Ａには接続端子６３Ａが接続され、この接続端子６３Ａは手元操作管１７および集塵ホース１５内に配設された図示しないリード線を介して掃除機本体１１内の電源回路（図示せず）に電気的に接続されている。そして、給電線６２の他端６２Ａには接続端子６３Ｂが接続され、この接続端子６３Ｂは接続アダプタ１０２および接続管１０１内に配設された図示しないリード線を介して吸込口体１００に設けられたモータＭに電気的に接続されている。
【００６９】
さらに、第三カバーケース４７の先端部４７ＡにはクランプＣが設けられており、このクランプＣの操作により第三パイプ４０と接続アダプタ１０２との接続をロックしたりそのロックを解除したりするようになっている。
【００７０】
次に、上記のように構成される電気掃除機１０の動作について説明する。
【００７１】
まず、延長管２０が最も短い状態に収縮された場合では、第一パイプ２１内に第二パイプ３０のほぼ全長が収納されると共に、第二パイプ３０内に第三パイプ４０のほぼ全長が収納される。
【００７２】
このとき、第一パイプ２１のクランプ部材２３が、第二パイプ３０の最も先端部に位置する凹部（図示せず）と係合して第二パイプ３０を収納状態で固定している。また同時に、保持パイプ５０内のロック部材（図示せず）が第三パイプ４０の係合突部４１と係合して第三パイプ４０を収納状態で固定している。
【００７３】
さらに、この第二パイプ３０及び第三パイプ４０の収納に伴って、図５及び図６（ａ）に示すように、第一カバーケース２６の第一移動空間２７内に第二カバーケース３３が収納され、第二カバーケース３３の第二移動空間３５内に第三カバーケース４７が収納されている。
【００７４】
ここで、隔壁３６が間隙Ｓ２内に嵌挿可能になるとと共に、連結壁４８Ｂｃが間隙Ｓ１内に嵌挿可能になっているので、隔壁３６が一対のガイド管Ｇ１、Ｇ２の間に嵌挿されることとなる。
【００７５】
これにより、第三カバーケース４７を第二カバーケース３３から挿脱する際に、この隔壁３６に沿ってガイド管Ｇ１、Ｇ２を挿脱することができ、第三カバーケース４７のガタツキを防止し、円滑に挿脱することが可能となる。
【００７６】
一方、このとき給電手段６０は、図５及び図６（ａ）に示すように、一対の給電線６２が、それぞれ収縮した状態で絶縁チューブ６１内におさまると共に、第三カバーケース４７のガイド孔４９内にそれぞれ収納されている。
【００７７】
ここで、一対の給電線６２がそれぞれ絶縁チューブ６１によって互いに絶縁されているので、これらの給電線６２同士が互いに接触して短絡することを確実に防止することができる。
【００７８】
さらにこのとき、一対の給電線６２間の絶縁距離は、ガイド管Ｇ１、Ｇ２及び隔壁３６によって十分に確保されている。
【００７９】
次に、延長管２０を最も長い状態に伸長した場合では、第一パイプ２１内から第二パイプ３０のほぼ全長が引き出されると共に、第二パイプ３０内から第三パイプ４０のほぼ全長が引き出される。
【００８０】
このとき、第一パイプ２１のクランプ部材２３が、第二パイプ３０の最も後端部に位置する凹部（図示せず）と係合して第二パイプ３０を伸長状態で固定している。また同時に、保持パイプ５０内のロック部材（図示せず）が第三パイプ４０の係合凹部と係合して第三パイプ４０を伸長状態で固定している。
【００８１】
さらに、この第二パイプ３０及び第三パイプ４０の伸長に伴って、図６（ｂ）に示すように、第一カバーケース２６の第一移動空間２７から第二カバーケース３３が引き出され、第二カバーケース３３の第二移動空間３５から第三カバーケース４７が引き出されている。
【００８２】
このとき、給電手段６０の給電線６２は、第三カバーケース４７の伸長動作によって他端６２Ｂが引っ張られ、第一〜第三カバーケース２６、３３、４７に沿って伸長する。
【００８３】
一方、給電手段６０の給電チューブ６１は、一端６１Ａが第一カバーケース２６に固定されているため、第三カバーケース４７及び第二カバーケース３３に対して相対的に後退移動することになり、第一カバーケース２６内に配置される。
【００８４】
これにより、一対の給電線６２は、第一カバーケース２６の第一移動空間２７内では、それぞれ絶縁チューブ６１内に位置することとなり、互いに接触することなく絶縁状態が保持される。
【００８５】
また、これらの給電線６２は、第三カバーケース４７内では、互いに所定の間隙Ｓ２をあけて長手方向に延びたガイド孔４９内に位置することとなり、互いに接触することなく絶縁状態が保持される。ここで、一対の給電線６２間の絶縁距離は、ガイド管Ｇ１、Ｇ２によって十分に確保されている。
【００８６】
さらに、これらの給電線６２は、第二カバーケース３３の第二移動空間３５内では、図７に示すように、隔壁３６によって区画されることとなり、互いに接触することなく絶縁状態が保持される。ここで、一対の給電線６２間の絶縁距離は、隔壁３６によって十分に確保されている。
【００８７】
なお、隔壁３６の先端面３６Ａと上カバー部３４Ｂの内側面との間の間隙Ｓ１が給電線６２の外径よりも小さいものとなっているため、給電線６２が第二移動空間３５内で移動したとしても隔壁３６を乗り越えることができず、確実に絶縁することが可能となる。
【００８８】
以上説明したように、この発明にかかる電気掃除機１０では、延長管２０は、第一パイプ２１と、この第一パイプ２１内に引き出し可能に収納された第二パイプ３０と、この第二パイプ３０内に引き出し可能に収納された第三パイプ４０とを少なくとも備え、カバー体Ｔは、第一パイプ２１の一端部から他端部近傍まで延びる第一カバーケース２６と、この第一カバーケース２６内に引き出し可能に収納され且つ第二パイプ３０の一端部から他端部近傍まで延びる第二カバーケース３３と、この第二カバーケース３３内に引き出し可能に収納され且つ第三パイプ４０の一端部から他端部近傍まで延びる第三カバーケース４７とを備え、第三カバーケース４７は、互いに所定の間隙をあけて長手方向に延びると共に両端部が開口した一対のガイド管Ｇ１、Ｇ２と、これらのガイド管Ｇ１、Ｇ２を連結する連結壁４８Ｂｃとを有し、第二カバーケース３３は、長手方向に延びると共に内側面から立設した隔壁３６を有し、この隔壁３６に沿ってガイド管Ｇ１、Ｇ２が摺動すると共に、一対の給電線６２をガイド管Ｇ１、Ｇ２及び／又は隔壁３６で離間させた。
【００８９】
この構成により、延長管２０を収納する際には、第一〜第三パイプ２１、３０、４０を順に収納すると共に、第一〜第三カバーケース２６、３３、４７を順に収納することができ、延長管２０の収縮時の全長を短くすることができる。
【００９０】
そのため、電気掃除機１０を収納する際に延長管２０が邪魔にならず、この電気掃除機１０を容易に収納することが可能となる。
【００９１】
また、延長管を伸長した際には、隔壁３６によって第二カバーケース３３の第二移動空間３５内を区画することができ、この第二カバーケース３３内に位置する一対の給電線６２同士が接触することを確実に防止して、短絡を防ぐことができる。
【００９２】
さらに、第三カバーケース４７を収納する際に、隔壁３６に沿ってガイド管Ｇ１、Ｇ２が摺動するので、摺動動作をスムーズに行うことができ、ガタツキを防止することができる。
【００９３】
また、この発明にかかる電気掃除機１０では、第三カバーケース４７の連結壁４８Ｂｃは、第三カバーケース４７の短手方向に架け渡され、隔壁３６の先端面３６Ａと第二カバーケース３３のこの先端面３６Ａに対向する上カバー部３４Ｂの内側面との間には、連結壁４８Ｂｃを挿入可能な間隙Ｓ１が設けられている。
【００９４】
この構成により、第二カバーケース３３の第二移動空間３５内に第三カバーケース４７を収納する際に、隔壁３６と連結壁４８Ｂｃとが干渉することなく、円滑に収納することができる。
【００９５】
また、隔壁３６を第二移動空間３５のほぼ全長にわたって設けることができ、さらに確実に一対の給電線６２同士の接触を防止することができる。
【００９６】
さらに、連結壁４８Ｂｃによって長手方向に延びるガイド管Ｇ１、Ｇ２の補強をすることができ、第三カバーケース４７の強度を向上することが可能となる。
【００９７】
そして、この発明にかかる電気掃除機１０では、隔壁３６は、第三カバーケース４７が第二カバーケース３３内に収納されると、一対のガイド孔４９の間の間隙Ｓ２に嵌挿されるようになっている。
【００９８】
この構成により、第三カバーケース４７を第二カバーケース３３から挿脱する際に、隔壁３６に沿って挿脱することができ、第三カバーケース４７のガタツキを抑制して、円滑に挿脱することが可能となる。
【００９９】
なお、上記実施例は、３段の延長管２０について説明したがこれに限定されるものではなく、例えば４段の延長管であってもよい。
【０１００】
この場合、第二パイプ３０及び第二カバーケース３３を複数設ける。また、このとき、図８に示すように、第三パイプ４０側に位置する第二カバーケース３３´´の隔壁３６´´に、第一パイプ２１側に位置する第二カバーケース３３´の隔壁３６´が入り込むスリットＳＬを設ける。
【０１０１】
これにより、延長管２０を収縮状態にしたときに、隔壁３６´と隔壁３６´´同士が干渉せず、円滑に収縮することができる。
【０１０２】
さらに、上述の実施の形態では、第三パイプ４０の吸込側の先端部に大径の接続管部４２が形成されているが、この吸込側先端部が先細り形状であっても良い。
【図面の簡単な説明】
【０１０３】
【図１】この発明に係る電気掃除機の外観を示した斜視図である。
【図２】収縮させた延長管の一部を示した斜視図である。
【図３】延長管の分解斜視図である。
【図４】（ａ）は図３におけるＢ−Ｂ断面図であり、（ｂ）は図３におけるＣ−Ｃ断面図であり、（ｃ）は図３におけるＤ−Ｄ断面図である。
【図５】図２におけるＡ−Ａ断面図である。
【図６】（ａ）は延長管収縮時におけるカバー体及び給電手段の位置関係を示す説明図であり、（ｂ）は延長管伸長時におけるカバー体及び給電手段の位置関係を示す説明図である。
【図７】延長管伸長時における第二カバーケースの内部を示した断面図である。
【図８】延長管が４段の場合の収縮時における断面図である。
【符号の説明】
【０１０４】
２０          延長管（伸縮管）
２１          第一パイプ
３０          第二パイプ
４０          第三パイプ
２６          第一カバーケース
３３          第二カバーケース
３６          隔壁
４７          第三カバーケース
４８Ｂｃ      連結壁
６２          給電線
Ｇ１、Ｇ２    ガイド管
【図１】
0004673762.tif 000002
【図２】
0004673762.tif 000003
【図３】
0004673762.tif 000004
【図４】
0004673762.tif 000005
【図５】
0004673762.tif 000006
【図６】
0004673762.tif 000007
【図７】
0004673762.tif 000008
【図８】
0004673762.tif 000009